(57)【特許請求の範囲】
【請求項１】
空気調和運転において省エネルギー制御を行うことが可能な空調制御システムであって、
屋外の環境情報または前記空気調和運転の運転動作情報の少なくともいずれか一方の情報を取得する情報取得部（６６，６７）と、
前記空気調和運転の運転停止予定時刻（Ｔ２）から遡って前記省エネルギー制御を行った場合に前記運転停止予定時刻における前記空調対象空間内の環境の快適度が所定範囲（Ｗ）の境界部（Ｌ）となるような前記省エネルギー制御の制御実行時間（Ｔｅ）を算出する算出部（６４ａ）と、
前記制御実行時間および前記情報を利用して前記省エネルギー制御の最適な制御実行時間である最適制御実行時間（Ｔｓ）を算出し、前記運転停止予定時刻および前記最適制御実行時間に基づいて前記省エネルギー制御の開始時刻である制御開始時刻（Ｔ１）を決定する決定部（６４ｂ）と、
を備える空調制御システム（１）。
【請求項２】
前記決定部は、前記環境情報または前記運転動作情報に応じて補正値を決定し、前記補正値に基づいて前記最適制御実行時間を算出する、
請求項１に記載の空調制御システム。
【請求項３】
前記情報取得部は、前記屋外に設けられた温度センサである、
請求項１または２に記載の空調制御システム。
【請求項４】
空気調和運転において省エネルギー制御を行うことが可能な空調制御システムであって、
前記空気調和運転中に稼働する複数の機器のうちの少なくとも１つの機器（９）を前記空気調和運転時に所定時間停止させる停止制御を実行した場合に、前記停止制御によって生じた空調対象空間内の環境の変化を監視可能な監視部（２６４ｃ）と、
前記空調対象空間内の環境の変化に基づいて、前記停止制御を実行し続けた場合に前記空調対象空間内の環境の快適度が所定範囲（Ｗ）の境界部（Ｌ）に達するために必要な時間である到達時間を算出する算出部（２６４ａ）と、
前記空気調和運転の運転停止予定時刻（Ｔ２）から前記到達時間だけ遡った時刻を前記省エネルギー制御の開始時刻である制御開始時刻（Ｔ１）に決定する決定部（２６４ｂ）と、
を備える空調制御システム（２０１）。
【請求項５】
前記監視部は、前記空調対象空間内における環境情報を取得する取得部（２６６）を有し、
前記取得部は、前記空調対象空間の温度を測定する温度センサまたは前記空調対象空間の湿度を測定する湿度センサの少なくともいずれか一方である、
請求項４に記載の空調制御システム。
【請求項６】
前記省エネルギー制御が実行される実行時間である制御実行時間を設定可能な設定部（５６５ａ）を更に備え、
前記決定部は、前記制御実行時間が設定されている場合には、前記到達時間よりも前記制御実行時間を優先して前記制御開始時刻を決定する、
請求項４または５に記載の空調制御システム。
【請求項７】
空気調和運転において省エネルギー制御を行うことが可能な空調制御システムであって、
空調対象空間内の環境の快適度が所定範囲（Ｗ）内であるか否かを判断可能な判断部（３６４ｃ）と、
前記省エネルギー制御の第１実行時間を前記判断部の判断結果に基づいて調整し、第２実行時間を算出する算出部（３６４ａ）と、
前記空気調和運転の運転停止予定時刻（Ｔ２）から前記第２実行時間だけ遡った時刻を前記省エネルギー制御の開始時刻である制御開始時刻（Ｔ１）に決定する決定部（３６４ｂ）と、
屋外の環境条件を取得する取得部（４６７）と、
を備え、
前記判断部は、前記環境条件に基づいて予測される前記空調対象空間内の環境の変化を予測可能であり、
前記判断結果には、前記判断部による予測結果が含まれる、
空調制御システム（３０１）。
【請求項８】
空気調和運転において省エネルギー制御を行うことが可能な空調制御システムであって、
空調対象空間内の温度及び湿度によって決定される前記空調対象空間内の環境の快適度が所定範囲内であるか否かを判断可能な判断部と、
前記省エネルギー制御の第１実行時間を前記判断部の判断結果に基づいて調整し、第２実行時間を算出する算出部と、
前記空気調和運転の運転停止予定時刻から前記第２実行時間だけ遡った時刻を前記省エネルギー制御の開始時刻である制御開始時刻に決定する決定部と、
を備える空調制御システム。
【請求項９】
前記判断部は、前記空気調和運転の運転停止時における前記環境の快適度を判断する、
請求項７または８に記載の空調制御システム。
【請求項１０】
前記算出部は、前記環境の快適度が所定範囲内である場合は前記第１実行時間を延長することによって前記第２実行時間を算出し、前記環境の快適度が所定範囲外である場合は前記第１実行時間を短縮することによって前記第２実行時間を算出する、
請求項９に記載の空調制御システム。
【請求項１１】
前記快適度の所定範囲の設定情報を受け付ける受付部（５０）を更に備える、
請求項１から１０のいずれかに記載の空調制御システム。
【請求項１２】
前記判断部は、前記運転停止予定時刻の所定時間前の時刻における前記環境条件に基づいて、前記空調対象空間内の環境の変化を予測する、
請求項７に記載の空調制御システム。
【発明の詳細な説明】
【技術分野】
【０００１】
本発明は、空調制御システムに関する。
【背景技術】
【０００２】
空気調和運転が行われている空調対象空間内では、空気調和機の運転を停止した後からしばらくの間は、快適性が維持されていることが多い。そこで、従来より、省エネルギーを実現させるために、予め設定されている空気調和運転の運転停止時刻より前に、空調対象空間への給気を停止させる停止制御を行う空調制御システムがある。
【０００３】
例えば、予め設定されている曜日等の空調スケジュールに基づいて、空気調和運転の運転開始時刻から遡って停止制御を開始した場合に、運転停止時刻における空調対象空間内の温度が、予め設定されている適温範囲の下限値となるような時刻を最適停止時刻（以下、制御開始時刻という）として決定する空調制御システムがある（特許文献１参照）。さらに、この空調制御システムでは、制御開始時刻から運転停止時刻までの間、空調対象空間に対する給気が空気調和運転の風量よりも少ない風量となるように、給気量制御を行っている。このため、制御開始時刻から運転停止時刻までの間に停止制御が行われる場合と比較して、空調対象空間における快適性を向上させることができる。
【特許文献１】特開２００７−１３２５９８号公報
【発明の開示】
【発明が解決しようとする課題】
【０００４】
ところで、特許文献１に開示されている空調制御システムでは、空気調和運転が開始する前に、運転開始時刻、運転停止時刻および制御開始時刻が決定されている。このため、例えば、空気調和運転が開始されてから空調対象空間内の環境が変化した場合でも、現在時刻が制御開始時刻に到達すると、給気量制御が行われることになる。この場合、現在時刻が運転停止時刻に到達するまでに適温範囲の下限値に達する可能性があるため、空調対象者に対して不快感を与えるおそれがある。
【０００５】
そこで、本発明の課題は、空調対象者に対して不快感を与えるおそれを減らすことができる空気調和機の空調制御システムを提供することにある。
【課題を解決するための手段】
【０００６】
第１発明に係る空調制御システムは、空気調和運転において省エネルギー制御を行うことが可能な空調制御システムであって、情報取得部と、算出部と、決定部とを備えている。情報取得部は、屋外の環境情報または空気調和運転の運転動作状況の少なくともいずれか一方の情報を取得する。算出部は、省エネルギー制御の制御実行時間を算出する。制御実行時間とは、空気調和運転の運転停止予定時刻から遡って省エネルギー制御を行った場合に、運転停止予定時刻における空調対象空間内の環境の快適度が所定範囲の境界部となるような時間である。決定部は、制御実行時間および前記情報を利用して、省エネルギー制御の最適な制御実行時間である最適制御実行時間を算出する。また、決定部は、制御開始時刻を決定する。制御開始時刻とは、運転停止予定時刻および最適制御開始時間に基づいて決定される省エネルギー制御の開始時刻のことである。
【０００７】
第１発明に係る空調制御システムでは、屋外の環境情報または空気調和運転の運転動作状況の少なくともいずれか一方の情報と、制御実行時間とを利用して、最適制御実行時間が算出される。また、運転停止予定時刻および最適制御実行時間に基づいて、省エネルギー制御の制御開始時刻が決定される。このため、運転停止予定時刻および制御実行時間に基づいて省エネルギー制御の制御開始時刻が決定される場合と比較して、空調対象空間内の環境に応じた省エネルギー制御の制御開始時刻を決定することができる。したがって、空気調和運転が開始された後に空調対象空間内の環境が変化した場合でも、環境の変化に応じた省エネルギー制御の制御開始時刻を決定することができる。
【０００８】
これによって、空調対象者に対して不快感を与えるおそれを減らすことができる。
【０００９】
第２発明に係る空調制御システムは、第１発明の空調制御システムであって、決定部は、環境情報または運転動作情報に応じて補正値を決定する。また、決定部は、補正値に基づいて、最適制御実行時間を算出する。このため、この空調制御システムでは、環境情報または運転動作情報を利用して、最適制御実行時間を算出することができる。
【００１０】
第３発明に係る空調制御システムは、第１発明または第２発明の空調制御システムであって、情報取得部は、屋外に設けられた温度センサである。このため、この空調制御システムでは、屋外の温度に基づいて、最適制御実行時間を算出することができる。
【００１１】
第４発明に係る空調制御システムは、空気調和運転において省エネルギー制御を行うことが可能な空調制御システムであって、監視部と、算出部と、決定部とを備えている。監視部は、停止制御を実行した場合に、停止制御によって生じた空調対象空間内の環境の変化を監視可能である。また、停止制御とは、空気調和運転中に稼働する複数の機器のうちの少なくとも１つの機器を空気調和運転時に所定時間停止させる制御である。算出部は、到達時間を算出する。また、到達時間とは、空調対象空間内の環境の変化に基づいて、停止制御を実行し続けた場合に空調対象空間内の環境の快適度が所定範囲の境界部に達するために必要な時間である。決定部は、空気調和運転の運転停止予定時刻から到達時間だけ遡った時刻を、省エネルギー制御の開始時刻である制御開始時刻に決定する。
【００１２】
第４発明に係る空調制御システムでは、空気調和運転中に行われる停止制御によって生じた空調対象空間内の環境の変化に基づいて、到達時間が算出されている。また、算出された到達時間を利用して、省エネルギー制御の制御開始時刻が決定されている。このため、空気調和運転中における空調対象空間内の環境に応じた省エネルギー制御の開始時刻を決定することができる。したがって、例えば、空気調和運転中に空調対象空間内の環境が変化した場合でも、環境の変化に対応した省エネルギー制御の開始時刻を決定することができる。
【００１３】
これによって、空調対象者に不快感を与えるおそれを減らすことができる。
【００１４】
第５発明に係る空調制御システムは、第４発明の空調制御システムであって、監視部は、取得部を有する。取得部は、空調対象空間内における環境情報を取得する。また、取得部は、温度センサまたは湿度センサの少なくともいずれか一方である。温度センサは、空調対象空間の温度を測定することが可能なセンサである。湿度センサは、空調対象空間の湿度を測定することが可能なセンサである。このため、この空調制御システムでは、空調対象空間内の温度または湿度の変化に基づいて、到達時間を算出することができる。
【００１５】
第６発明に係る空調制御システムは、第４発明または第５発明の空調制御システムであって、設定部を更に備えている。設定部は、省エネルギー制御が実行される実行時間である制御実行時間を設定可能である。また、決定部は、制御実行時間が設定されている場合には、到達時間よりも制御実行時間を優先して、制御開始時刻を決定する。
【００１６】
第６発明に係る空調制御システムでは、制御実行時間を設定可能であり、制御開始時刻の決定において、算出部によって算出される到達時間よりも制御実行時間が優先される。このため、例えば、空調対象者によって制御実行時間が設定されている場合、決定部によって空調対象者の都合に応じた制御開始時刻が決定される。
【００１７】
これによって、空調対象者の快適性を向上させることができる。
【００１８】
第７発明に係る空調制御システムは、空気調和運転において省エネルギー制御を行うことが可能な空調制御システムであって、判断部と、算出部と、決定部と、取得部と、を備えている。判断部は、空調対象空間内の環境の快適度が所定範囲内であるか否かを判断可能である。算出部は、省エネルギー制御の第１実行時間を判断部の判断結果に基づいて調整し、第２実行時間を算出する。決定部は、空気調和運転の運転停止予定時刻から第２実行時間だけ遡った時刻を省エネルギー制御の制御開始時刻である制御開始時刻に決定する。取得部は、屋外の環境条件を取得する。また、判断部は、前記環境条件に基づいて予測される空調対象空間内の環境の変化を予測可能である。さらに、判断結果には、判断部による予測結果が含まれる。
【００１９】
第７発明に係る空調制御システムでは、算出部が、空調対象空間内の環境の快適度についての判断結果に基づいて第１実行時間を調整し、第２実行時間を算出する。また、決定部が、運転停止予定時刻および第２実行時間に基づいて、制御開始時刻を決定する。このため、空調対象空間内の環境の快適度に応じた省エネルギー制御の開始時刻を決定することができる。
【００２０】
これによって、空調対象者に不快感を与えるおそれを減らすことができる。
【００２１】
また、この空調制御システムでは、判断部は空調対象空間内の環境の変化を予測可能であり、予測結果には算出部が第２実行時間を算出するために利用される判断結果が含まれるため、算出部は、予測される空調対象空間内の環境の変化を利用して、第２実行時間を算出することができる。したがって、屋外の環境が空調対象空間内の環境に影響を与えるような場合でも、省エネルギー制御の実行中に、空調対象空間内の快適度が所定範囲外となるおそれを減らすことができる。
【００２２】
これによって、快適性を向上させることができる。
【００２３】
第８発明に係る空調制御システムは、空気調和運転において省エネルギー制御を行うことが可能な空調制御システムであって、判断部と、算出部と、決定部とを備えている。判断部は、空調対象空間内の環境の快適度が所定範囲内であるか否かを判断可能である。空調対象空間内の環境の快適度は、空調対象空間内の温度及び湿度によって決定される。算出部は、省エネルギー制御の第１実行時間を判断部の判断結果に基づいて調整し、第２実行時間を算出する。決定部は、空気調和運転の運転停止予定時刻から第２実行時間だけ遡った時刻を省エネルギー制御の制御開始時刻である制御開始時刻に決定する。
【００２４】
第８発明に係る空調制御システムでは、算出部が、空調対象空間内の環境の快適度についての判断結果に基づいて第１実行時間を調整し、第２実行時間を算出する。また、決定部が、運転停止予定時刻および第２実行時間に基づいて、制御開始時刻を決定する。このため、空調対象空間内の環境の快適度に応じた省エネルギー制御の開始時刻を決定することができる。
【００２５】
これによって、空調対象者に不快感を与えるおそれを減らすことができる。
【００２６】
第９発明に係る空調制御システムは、第７発明または第８発明の空調制御システムであって、判断部は、空気調和運転の運転停止時における環境の快適度を判断する。このため、この空調制御システムでは、空気調和運転の運転停止時における環境の快適度に基づいて、第２実行時間を算出することができる。
【００２７】
第１０発明に係る空調制御システムは、第９発明の空調制御システムであって、算出部は、環境の快適度が所定範囲内である場合は、第１実行時間を延長することによって、第２実行時間を算出する。また、算出部は、環境の快適度が所定範囲外である場合は、第１実行時間を短縮することによって、第２実行時間を算出する。このため、例えば、判断部によって運転停止時の環境の快適度が所定範囲内であると判断された場合、第２実行時間は、その判断時に省エネルギー制御が実行された時間（第１実行時間）を延長することによって算出される。したがって、過去の空調対象空間内の環境の快適度に基づいて、第２実行時間を算出することができる。
【００２８】
第１１発明に係る空調制御システムは、第１発明から第１０発明のいずれかの空調制御システムであって、受付部を更に備える。受付部は、快適度の所定範囲の設定情報を受け付ける。このため、例えば、受付部が空調対象者からの快適度の範囲の設定情報を受け付けた場合、この受け付けた設定情報は空調対象者の好みに応じた範囲の設定情報となる。
【００２９】
これによって、快適性を向上させることができる。
【００３０】
第１２発明に係る空調制御システムは、第７発明の空調制御システムであって、判断部は、運転停止予定時刻の所定時間前の時刻における環境条件に基づいて、空調対象空間内の環境の変化を予測する。
【発明の効果】
【００３１】
第１発明に係る空調制御システムでは、空調対象者に対して不快感を与えるおそれを減らすことができる。
【００３２】
第２発明に係る空調制御システムでは、環境情報または運転動作情報を利用して、最適制御実行時間を算出することができる。
【００３３】
第３発明に係る空調制御システムでは、屋外の温度に基づいて、最適制御実行時間を算出することができる。
【００３４】
第４発明に係る空調制御システムでは、空調対象者に不快感を与えるおそれを減らすことができる。
【００３５】
第５発明に係る空調制御システムでは、空調対象空間内の温度または湿度の変化に基づいて、到達時間を算出することができる。
【００３６】
第６発明に係る空調制御システムでは、空調対象者の快適性を向上させることができる。
【００３７】
第７発明に係る空調制御システムでは、空調対象者に不快感を与えるおそれを減らすことができる。
【００３８】
第８発明に係る空調制御システムでは、空調対象者に不快感を与えるおそれを減らすことができる。
【００３９】
第９発明に係る空調制御システムでは、空気調和運転の運転停止時における環境の快適度に基づいて、第２実行時間を算出することができる。
【００４０】
第１０発明に係る空調制御システムでは、過去の空調対象空間内の環境の快適度に基づいて、第２実行時間を算出することができる。
【００４１】
第１１発明に係る空調制御システムでは、快適性を向上させることができる。
【００４２】
第１２発明に係る空調制御システムでは、運転停止予定時刻の所定時間前の時刻における環境条件に基づいて、空調対象空間内の環境の変化を予測することができる。
【発明を実施するための最良の形態】
【００４３】
−第１実施形態−
本発明の第１実施形態に係る空気調和システム１の概略冷媒回路図を図１に示す。
【００４４】
＜空気調和システムの概略構成＞
この空気調和システム１は、主に、空気調和機３と、コントローラ５０と、空調制御装置６０とを備えている。空気調和機３は、空調対象空間内から空気を取り込み、取り込んだ空気を空気調和して調和空気を生成し、この調和空気を空調対象空間内に供給する。
【００４５】
コントローラ５０は、空調対象空間に居る空調対象者が空気調和運転の運転停止予定時刻Ｔ２を入力したり、空気調和機３の設定等を操作したりするための操作手段である。また、コントローラ５０には、空調対象者が上記操作を行うための複数のスイッチが設けられている。
【００４６】
空調制御装置６０は、空気調和機３からの運転データを受信したり、コントローラ５０を介して空調対象者から送信される設定等の指示情報を制御指令として空気調和機３に送信したりする。
【００４７】
（１）空気調和機
空気調和機３は、室内機２ａ，２ｂ，２ｃと、室外機２０とから構成されており、冷房運転および暖房運転等を含む空気調和運転を行うことができる。室内機２ａ，２ｂ，２ｃ内には、室内熱交換器４ａ，４ｂ，４ｃや室内ファン５ａ，５ｂ，５ｃ等が収容されている。室内熱交換器４ａ，４ｂ，４ｃは、接触する空気との間で熱交換を行い、調和空気を生成する。また、室内熱交換器４ａ，４ｂ，４ｃは、冷房運転時には、冷媒の蒸発器として機能して取り込まれた空気を冷却し、暖房運転時には、冷媒の凝縮器として機能して取り込まれた空気を加熱する。室内ファン５ａ，５ｂ，５ｃは、空調対象空間内の空気を吸い込んで熱交換器に通し、熱交換が行われた後の調和空気を空調対象空間内に排出する。また、室内機２ａ，２ｂ，２ｃには、室内機制御部６１ａ，６１ｂ，６１ｃが内蔵されている。室内機制御部６１ａ，６１ｂ，６１ｃは、空調制御装置６０から送信される制御指令を受信し、その受信した制御指令に基づいて、室内機２ａ，２ｂ，２ｃ内の室内熱交換器４ａ，４ｂ，４ｃや室内ファン５ａ，５ｂ，５ｃ等の各種機器を制御する。
【００４８】
また、室外機２０には、室外機制御部６２が内蔵されている。室外機制御部６２は、空調制御装置６０から送信される制御指令に基づいて、室外機２０に収容されている圧縮機９、室外ファン７、室外熱交換器６、四路切換弁８および室外膨張弁１２等の各種機器の制御を行う。
【００４９】
（２）空調制御装置
空調制御装置６０は、図２に示すように、指示情報等を送受信するための通信部６３と、ＲＡＭやＣＰＵ等からなる制御部６４と、記憶部６５とを備えている。
【００５０】
通信部６３は、コントローラ５０を介して送信される空調対象者からの指示情報を受信して、制御部６４に送信する。また、通信部６３は、制御部６４から受信した制御指令を室内機制御部６１ａ，６１ｂ，６１ｃおよび室外機制御部６２に送信する。
【００５１】
制御部６４は、通信部６３から送信される空調対象者からの指示情報に基づいた空気調和機３が行う運転内容についての制御指令を、通信部６３に送信する。運転内容についての制御指令とは、例えば、空気調和運転の運転開始や運転停止、設定温度や設定風量の変更および省エネルギー制御の開始等の制御指令である。また、省エネルギー制御とは、空気調和機３の消費電力を抑制するために、空気調和運転時に行われる制御である。なお、本実施形態では、省エネルギー制御とは、強制サーモオフを行う制御とする。
【００５２】
また、空気調和運転時には、制御部６４は、室温サーミスタ６６によって検出される室内温度情報から得られる室内温度値と、外気温度サーミスタ６７によって検出される外気温度情報から得られる外気温度値とに基づいて、室内環境が快適であるか否かを判定する。また、制御部６４による前記判定は所定時間（例えば、３分）毎に行われる。なお、室内環境が快適であるか否かの判定は、図３に示す快適範囲Ｗに基づいて行われる。快適範囲Ｗとは、暖房運転時では、室内温度値＞外気温度値＋５となる範囲であり、冷房運転時では、室内温度値＜外気温度値−５となる範囲である。なお、この快適範囲Ｗは、予め記憶部６５に記憶されている。
【００５３】
制御部６４は、室内環境が快適でないと判定した場合、室内温度値Ｘが快適範囲Ｗ内となるように、通信部６３に制御指令を送信する。また、本実施形態では、快適範囲Ｗは、室内温度および外気温度を利用して室内環境が快適であるか否かを判定しているが、室内環境が快適であるか否かを判定するための指標となるものであれば、これに限定されない。例えば、快適範囲を、室内温度と指標温度とから設定したり、設定温度と室内温度とから設定したり、室内温度の変化から設定したり、空調対象空間の不快指数から設定したりすることができる。室内温度と指標温度とから設定される快適範囲とは、例えば指標温度を２８度に設定すると、冷房運転時では、室内温度値＜２８となる範囲である。また、設定温度と室内温度とから設定する快適範囲とは、例えば、冷房運転時では、室内温度値＜設定温度値＋２となる範囲である。室内温度の変化から設定される快適範囲とは、例えば、冷房運転時では、現在の室内温度値＜空気調和運転において省エネルギー制御が行われる以前の室内温度値＋２となる範囲である。不快指数から設定される快適範囲とは、例えば、冷房運転時では、室内温度値＋室内湿度値＜所定値以下となる範囲である。
【００５４】
さらに、制御部６４は、算出部６４ａと、決定部６４ｂとを有する。
【００５５】
算出部６４ａは、制御実行時間Ｔｅを算出する。制御実行時間Ｔｅとは、図４に示すように、空調対象者によって予め設定されている空気調和運転の運転停止予定時刻Ｔ２から遡って省エネルギー制御を行った場合に、運転停止予定時刻Ｔ２における室内温度値Ｘeが快適範囲Ｗの境界部Ｌとなるために必要な時間である。快適範囲Ｗの境界部Ｌとは、具体的には、暖房運転時には、室内温度値＝外気温度値＋５となる部分であり、冷房運転時には、室内温度値＝外気温度値−５となる部分である。なお、算出部６４ａは、空気調和運転が開始されてから制御部６４において室内環境が快適であると最初に判定されたときに、制御実行時間Ｔｅを算出する。
【００５６】
決定部６４ｂは、外気温度サーミスタ６７によって検出される外気温度情報から得られる外気温度値に基づいて、補正値を決定する。補正値は、例えば、冷房運転時において、外気温度値が３５以上の場合には、「−５」であり、外気温度値が３１以上から３５未満の場合には、「０」であり、外気温度値が３１未満の場合には、「２０」である。なお、決定部６４ｂは、現在時刻が運転停止予定時刻から所定時間（例えば、３時間）前に到達したとき（以下、補正値決定時刻という）Ｔｓ２に、補正値決定時刻Ｔｓ２における外気温度値に基づいて補正値を決定する。また、決定部６４ｂは、算出部６４ａによって算出された制御実行時間Ｔｅおよび補正値に基づいて、最適制御実行時間Ｔｓを算出する。例えば、算出部６４ａによって算出された制御実行時間Ｔｅが「１０分」であり、外気温度値が「３０」の場合、決定部６４ｂは、最適制御実行時間Ｔｓを「３０分」に決定する。さらに、決定部６４ｂは、図４に示すように、空気調和運転の運転停止予定時刻Ｔ２および最適制御停止時間Ｔｓに基づいて、省エネルギー制御の開始時刻である制御開始時刻Ｔ１を決定する。なお、図４におけるＴｓ１は、制御部６４において室内環境が快適であると最初に判定された時刻を示している。
【００５７】
＜空調制御システムの制御動作＞
図５は、本実施形態の空気調和システム１による処理の流れを示すフローチャートである。この処理は、空調制御装置６０の記憶部６５に格納された所定の制御プログラムに従って、制御部６４によって実行される。なお、以下には、空気調和運転が開始されており、空調対象者によって空気調和運転の運転停止予定時刻Ｔ２が設定されている場合を例として説明する。
【００５８】
空気調和運転が開始されてから制御部６４によって室内環境が快適であると最初に判定されたときに、制御部６４の有する算出部６４ａは、制御実行時間Ｔｅを算出する（ステップＳ１）。また、制御部６４の有する決定部６４ｂは、現在時刻が補正値決定時刻Ｔｓ２に到達したときに、現在時刻における外気温度値に基づいて補正値を決定する（ステップＳ２）。さらに、決定部６４ｂは、決定した補正値に基づいて、最適制御実行時間Ｔｓを算出する（ステップＳ３）。そして、決定部６４ｂは、最適制御実行時間Ｔｓおよび運転停止予定時刻Ｔ２に基づいて、制御開始時刻Ｔ１を決定する（ステップＳ４）。
【００５９】
次に、現在時刻が決定部６４ｂによって決定された制御開始時刻Ｔ１に到達すると、制御部６４は、通信部６３を介して室内機制御部６１ａ，６１ｂ，６１ｃおよび室外機制御部６２に、省エネルギー制御開始の制御指令を送信する。省エネルギー制御開始の制御指令が制御部６４から送信されると、室内機制御部６１ａ，６１ｂ，６１ｃは室内機２ａ，２ｂ，２ｃ内の各種機器を制御し、室外機制御部６２は室外機２０内の各種機器を制御することで、空気調和運転において省エネルギー制御を行う。
【００６０】
そして、省エネルギー制御を開始してから、現在時刻が停止予定時刻Ｔ２に到達するまでに、コントローラ５０を介した空調対象者からの指示がなかった場合、制御部６４から室内機制御部６１ａ，６１ｂ，６１ｃおよび室外機制御部６２に、空気調和機３の運転停止の制御指令が送信される（ステップＳ５、ステップＳ６およびステップＳ７）。運転停止の制御指令が通信部６３から送信されると、室内機制御部６１ａ，６１ｂ，６１ｃは室内機２ａ，２ｂ，２ｃ内の各種機器を制御し、室外機制御部６２は室外機２０内の各種機器を制御することで、空気調和運転を停止させる。
【００６１】
また、現在時刻が運転停止予定時刻Ｔ２に到達するまでに、コントローラ５０を介して空調対象者から指示があった場合、制御部６４は、その指示内容が空気調和機３の運転停止指示であるか否かを判断する（ステップＳ８）。指示内容が空気調和機３の運転停止指示であった場合、制御部６４は、通信部６３を介して室内機制御部６１ａ，６１ｂ，６１ｃおよび室外機制御部６２に運転停止の制御指令を送信する。そして、室内機制御部６１ａ，６１ｂ，６１ｃは室内機２ａ，２ｂ，２ｃ内の各種機器を制御し、室外機制御部６２は、室外機２０内の各種機器を制御することで、空気調和運転を停止させる。また、指示内容が空気調和機３の運転停止指示以外の指示（例えば、設定温度の変更等）Ｐ１であった場合（図６参照）、制御部６４は、通信部６３を介して室内機制御部６１ａ，６１ｂ，６１ｃおよび室外機制御部６２に、省エネルギー制御解除の制御指令、および、この指示に基づく制御指令が送信される（ステップＳ９）。そして、通信部６３から送信された制御指令に基づいて、室内機制御部６１ａ，６１ｂ，６１ｃは室内機２ａ，２ｂ，２ｃ内の各種機器を制御し、室外機制御部６２は室外機２０内の各種機器を制御する。また、空調対象者によって、運転停止の指示が出されるまで、空気調和運転が行われる。空調対象者からの空気調和運転の運転停止の指示Ｐ２を通信部６３が受信した場合、制御部６４は、通信部６３を介して室内機制御部６１ａ，６１ｂ，６１ｃおよび室外機制御部６２に、空気調和運転の運転停止の制御指令を送信する（ステップＳ１０）。通信部６３から運転停止の制御指令が送信されると、室内機制御部６１ａ，６１ｂ，６１ｃは室内機２ａ，２ｂ，２ｃ内の各種機器を制御し、室外機制御部６２は室外機２０内の各種機器を制御することで、空気調和運転を停止させる。
【００６２】
また、現在時刻が運転停止予定時刻Ｔ２に到達した後に、コントローラ５０を介して空調対象者から空気調和運転の運転開始指示があった場合、通信部６３から室内機制御部６１ａ，６１ｂ，６１ｃおよび室外機制御部６２に運転開始の制御指令が送信される。そして、通信部６３から運転開始の制御指令が送信されると、室内機制御部６１ａ，６１ｂ，６１ｃは室内機２ａ，２ｂ，２ｃ内の各種機器を制御し、室外機制御部６２は室外機２０内の各種機器を制御することによって、空気調和機３の運転が開始される。この場合もまた、空調対象者によって、運転停止の指示が出されるまで、空気調和運転が行われる。なお、図６におけるＰ１およびＰ２は、空調対象者からの運転停止以外の指示Ｐ１があった時刻、および、空調対象者から運転停止の指示Ｐ２があった時刻を示している。
【００６３】
＜特徴＞
空気調和運転が行われている空調対象空間内では、空気調和機の運転を停止した後からしばらくの間は、快適性が維持されていることが多い。そこで、従来より、省エネルギーを実現させるために、予め設定されている空気調和運転の運転停止時刻より前に、空調対象空間への給気を停止させる停止制御を行う空調制御システムがある。
【００６４】
例えば、特開２００７−１３２５９８号公報に開示されている空調制御システムでは、予め設定されている曜日等の空調スケジュールに基づいて、空気調和運転の運転開始時刻から遡って停止制御を開始した場合に、運転停止時刻における空調対象空間内の温度が、予め設定されている適温範囲の下限値となるような時刻を最適停止時刻（以下、制御開始時刻という）として決定している。さらに、この空調制御システムでは、制御開始時刻から運転停止時刻までの間、空調対象空間に対する給気が空気調和運転の風量よりも少ない風量となるように、給気量制御を行っている。このため、制御開始時刻から運転停止時刻までの間に停止制御が行われる場合と比較して、空調対象空間における快適性を向上させることができる。
【００６５】
ところで、特開２００７−１３２５９８号公報に開示されている空調制御システムでは、空気調和運転が開始する前に、運転開始時刻、運転停止時刻および制御開始時刻が決定されている。このため、例えば、冷房運転時において外気温度が３５度以上等と高い場合でも、現在時刻が制御開始時刻に到達すると、給気量制御が行われることになる。この場合、現在時刻が運転停止時刻に到達するまでに適温範囲の下限値に達する可能性があるため、空調対象者に対して不快感を与えるおそれがある。
【００６６】
そこで、上記実施形態では、算出部６４ａによって算出された制御実行時間Ｔｅおよび外気温度値に基づいて決定された補正値に基づいて、最適制御実行時間Ｔｓが算出されている。また、空気調和運転の運転停止予定時刻Ｔ２および算出された最適制御停止時間Ｔｓに基づいて、制御開始時刻Ｔ１が決定されている。このため、例えば、冷房運転時において外気温度が３５度以上の場合には、補正値が「−５」となり、最適制御停止時間Ｔｓが制御停止時間Ｔｅよりも短くなる。したがって、現在時刻が運転停止予定時刻Ｔ２に到達するまでに快適範囲Ｗの境界部Ｌに達するおそれを減らすことができる。
【００６７】
これによって、空調対象者に対して不快感を与えるおそれを減らすことができている。
【００６８】
また、従来の空気調和システムでは、冷房運転時において外気温度が３０度以下等と低い場合には、運転停止予定時刻から制御実行時間だけ遡った時刻から省エネルギー制御を開始しているため、室内温度値が、現在時刻が運転停止予定時刻に到達してからしばらくの間、快適範囲内にとどまることがある。しかし、上記実施形態では、外気温度値が３１未満の場合には、補正値が「２０」に決定されるため、最適制御停止時間Ｔｓが制御停止時間Ｔｅよりも長くなる。このため、外気温度が低い場合には、省エネルギーを実現することができている。
【００６９】
＜変形例＞
（Ａ）
上記実施形態では、決定部６４ｂは、外気温度サーミスタ６７によって検出される外気温度情報から得られる外気温度値に基づいて決定される補正値を利用して、最適制御実行時間Ｔｓを算出している。しかし、省エネルギー制御の最適な制御実行時間を算出するために適している条件パラメータであれば、外気温度値に限定されない。条件パラメータとしては、例えば、室温サーミスタ６６によって検出される室内温度情報、空気調和機に予め設定されている設定温度、運転停止までの運転時間、空気調和機が設置されている部屋の用途、時刻、天候および季節等がある。また、これらの条件パラメータを複数利用して、最適制御実行時間が算出されてもよい。これらの条件パラメータについて補正値が設定されていれば、これらの条件に基づいて、省エネルギー制御の最適な制御実行時間を算出することができる。
【００７０】
（Ｂ）
上記実施形態では、快適範囲Ｗは、予め設定されており記憶部６５に記憶されているが、空調対象者を含むユーザによってコントローラ５０等の操作手段を介して設定されてもよい。これによって、ユーザの好みに応じた快適範囲を設定することができるため、快適性を向上させることができる。
【００７１】
（Ｃ）
上記実施形態では、空気調和運転の運転停止予定時刻Ｔ２は、空調対象者によって予め設定されている。しかし、運転停止予定時刻を予測することができる空調制御システムであってもよい。例えば、図７に示すように、第１算出部１６４ａ、第２算出部１６６、予測部１６７、第１決定部１６４ｂおよび第２決定部１６８を有する制御部１６４を備える空調制御装置１６０について説明する。なお、図７では、空調制御装置１６０において、第１実施形態と同様の構成であるものについては、説明を省略するとともに、同一の符号を付している。
【００７２】
制御部１６４は、上述のように、第１算出部１６４ａと、第２算出部１６６と、予測部１６７と、第１決定部１６４ｂと、第２決定部１６８とを有している。第１算出部１６４ａは、制御実行時間Ｔｅを算出する。また、第１決定部１６４ｂは、外気温度サーミスタ１６９によって検出される外気温度情報から得られる外気温度値に基づいて、補正値を決定する。また、第１決定部１６４ｂは、第１算出部１６４ａによって算出された制御実行時間Ｔｅおよび補正値に基づいて、最適制御実行時間Ｔｓを算出する。さらに、第１決定部１６４ｂは、後述する空気調和運転の運転停止予定時刻Ｔ２および最適制御停止時間Ｔｓに基づいて、省エネルギー制御の開始時刻である制御開始時刻Ｔ１を決定する。
【００７３】
第２算出部１６６は、記憶部１６５に記憶されている所定期間（例えば、１ヶ月）内の過去の運転停止時刻に基づいて、その正規分布を算出する。
【００７４】
予測部１６７は、算出された正規分布の中央値を算出する。また、第２決定部１６６は、予測部１６７によって算出された値を運転停止予定時刻Ｔ２に決定する。このため、この空調制御システムでは、空調対象者が運転停止予定時刻の設定を行わなくても、運転停止予定時刻を決定することができる。
【００７５】
これによって、空調対象者がスケジュール設定を行う手間を省くことができる。
【００７６】
−第２実施形態−
本発明の第２実施形態に係る空気調和システム２０１の概略冷媒回路を図１に示す。なお、第２実施形態では、空調制御装置および空調制御システムの制御動作以外の構成は、第１実施形態と同様である。したがって、第２実施形態では、空調制御装置２６０および空調制御システム２０１の制御動作のみを以下に説明する。
【００７７】
＜空調制御装置＞
空調制御装置２６０は、図８Ａに示すように、指示情報等を送受信するための通信部２６３と、ＲＡＭやＣＰＵ等からなる制御部２６４と、記憶部２６５とを備えている。
【００７８】
通信部２６３は、コントローラ２５０を介して送信される空調対象者からの指示情報を受信して、制御部２６４に送信する。また、通信部２６３は、制御部２６４から受信した制御指令を室内機制御部２６１ａ，２６１ｂ，２６１ｃおよび室外機制御部２６２に送信する。
【００７９】
制御部２６４は、通信部２６３から送信される空調対象者からの指示情報に基づいた空気調和機２０３が行う運転内容についての制御指令を、通信部２６３に送信する。運転内容についての制御指令とは、例えば、空気調和運転の運転開始や運転停止、設定温度や設定風量の変更および省エネルギー制御の開始等の制御指令である。また、省エネルギー制御とは、空気調和機２０３の消費電力を抑制するために、空気調和運転時に行われる制御である。なお、本実施形態では、省エネルギー制御とは、圧縮機９等の稼働を停止させる強制サーモオフを行う制御とする。また、制御部２６４は、現在時刻が停止予定時刻の所定時間（例えば、３時間）前の時刻に到達すると、所定時間（例えば、５分）の間、強制サーモオフを行うように制御指令を送信する。
【００８０】
さらに、空気調和運転時には、制御部２６４は、接続されている室温サーミスタ２６６によって検出される室内温度情報から得られる室内温度値と、外気温度サーミスタによって検出される外気温度情報から得られる外気温度値とに基づいて、室内環境が快適であるか否かを判定する。また、制御部２６４による前記判定は所定時間（例えば、３分）毎に行われる。なお、室内環境が快適であるか否かの判定は、図９に示す快適範囲Ｗに基づいて行われる。快適範囲Ｗとは、暖房運転時では、室内温度値＞外気温度値＋５となる範囲であり、冷房運転時では、室内温度値＜外気温度値−５となる範囲である。なお、この快適範囲Ｗは、予め記憶部２６５に記憶されている。
【００８１】
制御部２６４は、室内環境が快適でないと判定した場合、室内温度値Ｘが快適範囲Ｗ内となるように、通信部２６３に制御指令を送信する。また、本実施形態では、快適範囲Ｗは、室内温度および外気温度を利用して室内環境が快適であるか否かを判定しているが、室内環境が快適であるか否かを判定するための指標となるものであれば、これに限定されない。
【００８２】
さらに、制御部２６４は、監視部２６４ｃと、算出部２６４ａと、決定部２６４ｂとを有している。
【００８３】
監視部２６４ｃは、室温サーミスタ２６６によって検出される室内温度情報から室内温度値を取得することができる。なお、本実施形態では、室温サーミスタ２６６は、制御部２６４と接続されているが、監視部２６４ｃと接続されていてもよい。また、監視部２６４ｃは、現在時刻が運転停止予定時刻Ｔ２の所定時間前の時刻に到達したときに行われる強制サーモオフ時に生じた空調対象空間内の室内温度情報の変化を監視する。具体的には、図１０に示すように、強制サーモオフが開始された時刻Ｔｓ２から強制サーモオフが解除された時刻Ｔｓ３までの経過時間Ｔｗ２における室内温度情報から室内温度値を取得し、空調対象空間内における室内温度値Ｘの経時的変化の度合Ｄを算出する。
【００８４】
算出部２６４ａは、監視部２６４ｃによって算出された室内温度値Ｘの経時的変化の度合Ｄに基づいて、強制サーモオフが実行され続けた場合に、室内温度値Ｘが快適範囲Ｗの境界部Ｌに達するために必要な時間である到達時間Ｔｗ３を算出する。快適範囲Ｗの境界部Ｌとは、具体的には、暖房運転時には、室内温度値＝外気温度値＋５となる部分であり、冷房運転時には、室内温度値＝外気温度値−５となる部分である。
【００８５】
決定部２６４ｂは、空調対象者によって予め設定されている空気調和運転の運転停止予定時刻Ｔ２から算出部２６４ａによって算出された到達時間Ｔｗ３だけ遡った時刻を、省エネルギー制御の開始時刻である制御開始時刻Ｔ１に決定する。
【００８６】
＜空調制御システムの制御動作＞
図１１は、本実施形態の空気調和システム２０１による処理の流れを示すフローチャートである。この処理は、空調制御装置２６０の記憶部２６５に格納された所定の制御プログラムに従って、制御部２６４によって実行される。なお、以下には、空気調和運転が開始されており、空調対象者によって空気調和運転の運転停止予定時刻Ｔ２が設定されている場合を例として説明する。
【００８７】
現在時刻が運転停止予定時刻Ｔ２の所定時間（例えば、３時間）前の時刻Ｔｓ２に到達すると、制御部２６４は、通信部２６３を介して室内機制御部２６１ａ，２６１ｂ，２６１ｃおよび室外機制御部２６２に、強制サーモオフ実行の制御指令を送信する（ステップＳ２１）。強制サーモオフ実行の制御指令が制御部２６４から送信されると、室内機制御部２６１ａ，２６１ｂ，２６１ｃは室内機２０２ａ，２０２ｂ，２０２ｃ内の各種機器を制御し、室外機制御部２６２は室外機２２０内の各種機器を制御することで、空気調和運転において強制サーモオフを行う。このとき、監視部２６４ｃによって、強制サーモオフが開始された時刻と強制サーモオフが解除された時刻における室内温度情報から室内温度値が取得される。その後、監視部２６４ｃによって、強制サーモオフが行われることによって起こる空調対象空間内の室内温度値Ｘの経時的変化の度合Ｄが算出される（ステップＳ２２）。次に、算出部２６４ａによって、室内温度値Ｘの経時的変化の度合Ｄに基づいた到達時間Ｔｗ３が算出される（ステップＳ２３）。また、決定部２６４ｂによって、空気調和運転の運転停止予定時刻Ｔ２から算出部２６４ａによって算出された到達時間Ｔｗ３だけ遡った時刻が制御開始時刻Ｔ１として決定される（ステップＳ２４）。
【００８８】
そして、現在時刻が決定部２６４ｂによって決定された制御開始時刻Ｔ１に到達すると、制御部２６４は、通信部２６３を介して室内機制御部２６１ａ，２６１ｂ，２６１ｃおよび室外機制御部２６２に、省エネルギー制御開始の制御指令を送信する。省エネルギー制御開始の制御指令が制御部２６４から送信されると、室内機制御部２６１ａ，２６１ｂ，２６１ｃは室内機２０２ａ，２０２ｂ，２０２ｃ内の各種機器を制御し、室外機制御部２６２は室外機２２０内の各種機器を制御することで、空気調和運転において省エネルギー制御を行う。
【００８９】
そして、現在時刻が省エネルギー制御を開始してから停止予定時刻Ｔ２に到達するまでに、コントローラ２５０を介した空調対象者からの指示がなかった場合、制御部２６４から室内機制御部２６１ａ，２６１ｂ，２６１ｃおよび室外機制御部２６２に、空気調和機２０３の運転停止の制御指令が送信される（ステップＳ２５、ステップＳ２６およびステップＳ２７）。運転停止の制御指令が通信部２６３から送信されると、室内機制御部２６１ａ，２６１ｂ，２６１ｃは室内機２０２ａ，２０２ｂ，２０２ｃ内の各種機器を制御し、室外機制御部２６２は室外機２２０内の各種機器を制御することで、空気調和運転を停止させる。
【００９０】
また、現在時刻が運転停止予定時刻Ｔ２に到達するまでに、コントローラ２５０を介して空調対象者から指示があった場合、制御部２６４は、その指示内容が空気調和機２０３の運転停止指示であるか否かを判断する（ステップＳ２８）。指示内容が空気調和機２０３の運転停止指示であった場合、制御部２６４は、通信部２６３を介して室内機制御部２６１ａ，２６１ｂ，２６１ｃおよび室外機制御部２６２に運転停止の制御指令を送信する。そして、室内機制御部２６１ａ，２６１ｂ，２６１ｃは室内機２０２ａ，２０２ｂ，２０２ｃ内の各種機器を制御し、室外機制御部２６２は、室外機２２０内の各種機器を制御することで、空気調和運転を停止させる。また、指示内容が空気調和機２０３の運転停止指示以外の指示（例えば、設定温度の変更等）であった場合、制御部２６４は、通信部２６３を介して室内機制御部２６１ａ，２６１ｂ，２６１ｃおよび室外機制御部２６２に、省エネルギー制御解除の制御指令、および、この指示に基づく制御指令が送信される（ステップＳ２９）。そして、通信部２６３から送信された制御指令に基づいて、室内機制御部２６１ａ，２６１ｂ，２６１ｃは室内機２０２ａ，２０２ｂ，２０２ｃ内の各種機器を制御し、室外機制御部２６２は室外機２２０内の各種機器を制御する。また、空調対象者によって、運転停止の指示が出されるまで、空気調和運転が行われる。空調対象者からの空気調和運転の運転停止の指示を通信部２６３が受信した場合、制御部２６４は、通信部２６３を介して室内機制御部２６１ａ，２６１ｂ，２６１ｃおよび室外機制御部２６２に、空気調和運転の運転停止の制御指令を送信する（ステップＳ３０）。通信部２６３から運転停止の制御指令が送信されると、室内機制御部２６１ａ，２６１ｂ，２６１ｃは室内機２０２ａ，２０２ｂ，２０２ｃ内の各種機器を制御し、室外機制御部２６２は室外機２２０内の各種機器を制御することで、空気調和運転を停止させる。
【００９１】
また、現在時刻が運転停止予定時刻Ｔ２に到達した後に、コントローラ２５０を介して空調対象者から空気調和運転の運転開始指示があった場合、通信部２６３から室内機制御部２６１ａ，２６１ｂ，２６１ｃおよび室外機制御部２６２に運転開始の制御指令が送信される。そして、通信部２６３から運転開始の制御指令が送信されると、室内機制御部２６１ａ，２６１ｂ，２６１ｃは室内機２０２ａ，２０２ｂ，２０２ｃ内の各種機器を制御し、室外機制御部２６２は室外機２２０内の各種機器を制御することによって、空気調和機２０３の運転が開始される。この場合もまた、空調対象者によって、運転停止の指示が出されるまで、空気調和運転が行われる。
【００９２】
＜特徴＞
（１）
上記実施形態では、監視部２６４ｃは、強制サーモオフが開始された時刻Ｔｓ２から強制サーモオフが解除された時刻Ｔｓ３までの経過時間Ｔｗ２内における室内温度情報から室内温度値を取得し、空調対象空間内における室内温度値Ｘの経時的変化の度合Ｄを算出する。また、算出部２６４ａは、監視部２６４ｃによって算出された室内温度値Ｘの経時的変化の度合Ｄに基づいて、強制サーモオフが実行され続けた場合に、室内温度値Ｘが快適範囲Ｗの境界部Ｌに達するために必要な時間である到達時間Ｔｗ３を算出する。このため、空気調和運転中における空調対象空間内の環境に応じた省エネルギー制御の制御実行時間を決定することができている。
【００９３】
また、上記実施形態では、決定部２６４ｂは、空調対象者によって予め設定されている空気調和運転の運転停止予定時刻Ｔ２から算出部２６４ａによって算出された到達時間Ｔｗ３だけ遡った時刻を、省エネルギー制御の開始時刻である制御開始時刻Ｔ１に決定する。このため、空気調和運転中に空調対象空間内の環境が変化した場合でも、環境の変化に適合した省エネルギー制御の制御開始時刻Ｔ１を決定することができる。
【００９４】
これによって、空調対象者に不快感を与えるおそれを減らすことができている。
【００９５】
＜変形例＞
（Ａ）
上記実施形態では、監視部２６４ｃは、現在時刻が運転停止予定時刻Ｔ２の所定時間前の時刻に到達したときに行われる強制サーモオフ時に生じた空調対象空間内の室内温度情報の変化を監視している。しかし、空調対象空間内の湿度情報を検出可能な湿度センサを備える空気調和機であれば、監視部が強制サーモオフ時に生じた空調対象空間内の湿度情報の変化を監視できるようにしてもよい。また、監視部が、室内温度情報および湿度情報の変化を監視できるようにしてもよい。この場合、室内温度値の変化だけでなく湿度値の変化を利用して到達時間が算出されるため、省エネルギー制御の実行時間中に室内温度値が快適範囲外に達するおそれを更に減らすことができる。
【００９６】
これによって、空調対象者に不快感を与えるおそれを減らすことができる。
【００９７】
（Ｂ）
上記実施形態では、算出部２６４ａによって算出された到達時間Ｔｗ３を利用して、制御開始時刻Ｔ１を決定している。しかし、制御開始時刻を決定する手段はこれに限定されない。例えば、図８Ｂに示すように、空調制御装置５６０が空調対象者を含むユーザによってコントローラ５５０等を介して設定される設定情報を記憶する設定記憶部５６５ａを備えており、ユーザがコントローラ５５０等を介して省エネルギー制御の実行される時間である制御実行時間を予め設定することができる場合には、決定部５６４ｂによって、制御開始時刻が、監視部５６４ｃおよび算出部５６４ａによって算出される到達時間、または、設定記憶部５６５ａに記憶されている制御実行時間のいずれか一方が利用されて決定されてもよい。
【００９８】
また、制御開始時刻の決定において設定記憶部５６５ａに記憶されている制御実行時間が監視部５６４ｃおよび算出部５６４ａによって算出される到達時間よりも優先して利用されるように記憶部５６５に記憶されている場合には、制御開始時刻はユーザの都合に応じて決定されるため、ユーザの快適性を向上させることができる。
【００９９】
−第３実施形態−
本発明の第３実施形態に係る空気調和システム３０１の概略冷媒回路を図１に示す。なお、第３実施形態では、空調制御装置および空調制御システムの制御動作以外の構成は、第１実施形態と同様である。したがって、第３実施形態では、空調制御装置３６０および空調制御システム３０１の制御動作のみを以下に説明する。
【０１００】
＜空調制御装置＞
空調制御装置３６０は、図１２に示すように、指示情報等を送受信するための通信部３６３と、ＲＡＭやＣＰＵ等からなる制御部３６４と、記憶部３６５とを備えている。
【０１０１】
通信部３６３は、コントローラ３５０を介して送信される空調対象者からの指示情報を受信して、制御部３６４に送信する。また、通信部３６３は、制御部３６４から受信した制御指令を室内機制御部３６１ａ，３６１ｂ，３６１ｃおよび室外機制御部３６２に送信する。
【０１０２】
制御部３６４は、通信部３６３から送信される空調対象者からの指示情報に基づいた空気調和機３０３が行う運転内容についての制御指令を、通信部３６３に送信する。運転内容についての制御指令とは、例えば、空気調和運転の運転開始や運転停止、設定温度や設定風量の変更および省エネルギー制御の開始等の制御指令である。また、省エネルギー制御とは、空気調和機３０３の消費電力を抑制するために、空気調和運転時に行われる制御である。なお、本実施形態では、省エネルギー制御とは、強制サーモオフを行う制御とする。
【０１０３】
記憶部３６５には、後述する判断結果や環境情報、および、前回実行された省エネルギー制御の実行時間である第１制御実行時間Ｔｗが記憶されている。なお、前回実行された省エネルギー制御とは、現在時刻から過去に遡った場合に、過去に実行された省エネルギー制御のうちの最新の省エネルギー制御のことである。
【０１０４】
さらに、制御部３６４は、判断部３６４ｃと、算出部３６４ａと、決定部３６４ｂとを有する。
【０１０５】
判断部３６４ｃは、室温サーミスタによって検出される室内温度情報から得られる室内温度値と、外気温度サーミスタによって検出される外気温度情報から得られる外気温度値とに基づいて、室内環境が快適であるか否かを判断する。また、判断部３６４ｃによる前記判断は所定時間（例えば、３分）毎、および、空気調和運転の運転停止予定時刻Ｔ２に行われる。なお、室内環境が快適であるか否かの判断は、図１３または図１４に示す快適範囲Ｗに基づいて行われる。快適範囲Ｗとは、暖房運転時では、室内温度値＞外気温度値＋５となる範囲であり、冷房運転時では、室内温度値＜外気温度値−５となる範囲である。なお、この快適範囲Ｗは、予め記憶部３６５に記憶されている。また、本実施形態では、快適範囲Ｗは、室内温度および外気温度を利用して室内環境が快適であるか否かを判断しているが、室内環境が快適であるか否かを判定するための指標となるものであれば、これに限定されない。さらに、記憶部３６５には、判断部３６４ｃによって判断された停止予定時刻Ｔ２における室内環境が快適であるか否かの判断の結果（以下、判断結果という）が記憶される。
【０１０６】
また、制御部３６４は、空気調和運転時に、判断部３６４ｃによって室内環境が快適でないと判断された場合、室内温度値Ｘが快適範囲Ｗ内となるように、通信部３６３に制御指令を送信する。
【０１０７】
算出部３６４ａは、記憶部３６５に記憶されている第１制御実行時間Ｔｗと、判断結果または所定の環境情報とに基づいて、第２制御実行時間を算出する。具体的には、前回の省エネルギー制御が図１３に示すような場合には、記憶部３６５に記憶されている運手停止予定時刻Ｔ２における判断結果は快適であるという判断結果であるため、算出部３６４ａは、記憶部３６５に記憶されている第１制御実行時間Ｔｗに所定時間（例えば、５分）だけ加えた時間を第２制御実行時間として算出する。また、前回の省エネルギー制御が図１４に示すような場合には、記憶部３６５に記憶されている運手停止予定時刻Ｔ２における判断結果は快適ではないという判断結果であるため、算出部３６４ａは、記憶部３６５に記憶されている第１制御実行時間Ｔｗから所定時間（例えば、５分）を差し引いた時間を第２制御実行時間として算出する。また、記憶部３６５に、室内環境が快適ではないという環境情報が記憶されている場合には、算出部３６４ａは、第１制御実行時間Ｔｗから所定時間（例えば、５分）を差し引いた時間を第２制御実行時間として算出する。さらに、算出部３６４ａは、記憶部３６５に第１制御実行時間Ｔｗのみが記憶されている場合には、記憶されている第１制御実行時間Ｔｗを第２制御実行時間として算出する。
【０１０８】
決定部３６４ｂは、空調対象者によって予め設定されている空気調和運転の運転停止予定時刻Ｔ２から算出部３６４ａによって算出された第２制御実行時間だけ遡った時刻を、省エネルギー制御の開始時刻である制御開始時刻Ｔ１に決定する。
【０１０９】
＜空調制御システムの制御動作＞
図１５は、本実施形態の空気調和システム３０１による処理の流れを示すフローチャートである。この処理は、空調制御装置３６０の記憶部３６５に格納された所定の制御プログラムに従って、制御部３６４によって実行される。なお、以下には、空気調和運転が開始されており、空調対象者によって空気調和運転の運転停止予定時刻Ｔ２が設定されている場合を例として説明する。
【０１１０】
現在時刻が運転停止予定時刻Ｔ２の所定時間（例えば、３時間）前の時刻に到達すると、算出部３６４ａによって、記憶部３６５に記憶されている判断結果および第１制御実行時間Ｔｗに基づいた第２制御実行時間が算出される（ステップＳ４１）。また、決定部３６４ｂによって、運転停止予定時刻Ｔ２から算出部３６４ａが算出した第２制御実行時間だけ遡った時刻が制御開始時刻Ｔ１として決定される（ステップＳ４２）。
【０１１１】
そして、現在時刻が決定部３６４ｂによって決定された制御開始時刻Ｔ１に到達すると、制御部３６４は、通信部３６３を介して室内機制御部３６１ａ，３６１ｂ，３６１ｃおよび室外機制御部３６２に、省エネルギー制御開始の制御指令を送信する。省エネルギー制御開始の制御指令が制御部３６４から送信されると、室内機制御部３６１ａ，３６１ｂ，３６１ｃは室内機３０２ａ，３０２ｂ，３０２ｃ内の各種機器を制御し、室外機制御部３６２は室外機３２０内の各種機器を制御することで、空気調和運転において省エネルギー制御を行う。
【０１１２】
そして、現在時刻が省エネルギー制御を開始してから停止予定時刻Ｔ２に到達するまでに、コントローラ３５０を介した空調対象者からの指示がなかった場合、判断部３６４ｃによって、空気調和運転の運転停止時刻における室内環境の快適性が判断され、その判断結果が記憶部３６５に記憶される（ステップＳ４３、ステップＳ４４、ステップＳ４５およびステップＳ４６）。また、制御部３６４は、通信部３６３を介して室内機制御部３６１ａ，３６１ｂ，３６１ｃおよび室外機制御部３６２に、空気調和機３０３の運転停止の制御指令を送信する（ステップＳ４７）。運転停止の制御指令が通信部３６３から送信されると、室内機制御部３６１ａ，３６１ｂ，３６１ｃは室内機３０２ａ，３０２ｂ，３０２ｃ内の各種機器を制御し、室外機制御部３６２は室外機３２０内の各種機器を制御することで、空気調和運転を停止させる。また、記憶部３６５には、第２制御実行時間が第１制御実行時間Ｔｗとして記憶される（ステップＳ４８）。
【０１１３】
また、現在時刻が運転停止予定時刻Ｔ２に到達するまでに、コントローラ３５０を介して空調対象者から指示があった場合、制御部３６４は、その指示内容が空気調和機３０３の運転停止指示であるか否かを判断する（ステップＳ４９）。指示内容が空気調和機３０３の運転停止指示であった場合、制御部３６４は、通信部３６３を介して室内機制御部３６１ａ，３６１ｂ，３６１ｃおよび室外機制御部３６２に運転停止の制御指令を送信する（ステップＳ４７）。そして、室内機制御部３６１ａ，３６１ｂ，３６１ｃは室内機３０２ａ，３０２ｂ，３０２ｃ内の各種機器を制御し、室外機制御部３６２は、室外機３２０内の各種機器を制御することで、空気調和運転を停止させる。また、記憶部３６５には、第２制御実行時間が第１制御実行時間Ｔｗとして記憶部３６５に記憶される（ステップＳ４８）。なお、この場合、現在時刻が運転停止予定時刻Ｔ２に到達していないため判断部３６４ｃによって運転停止予定時刻Ｔ２における室内環境の快適性は判断されず、記憶部３６５には、第１制御実行時間Ｔｗのみが記憶されている。
【０１１４】
また、指示内容が空気調和機３０３の運転停止指示以外の指示（例えば、設定温度の変更等）であった場合、制御部３６４は、通信部３６３を介して室内機制御部３６１ａ，３６１ｂ，３６１ｃおよび室外機制御部３６２に、省エネルギー制御解除の制御指令、および、この指示に基づく制御指令を送信する（ステップＳ５０）。そして、通信部３６３から送信された制御指令に基づいて、室内機制御部３６１ａ，３６１ｂ，３６１ｃは室内機３０２ａ，３０２ｂ，３０２ｃ内の各種機器を制御し、室外機制御部３６２は室外機３２０内の各種機器を制御する。また、空気調和運転は、空調対象者によって運転停止の指示が出されるまで行われる（ステップＳ５１）。そして、空調対象者からの空気調和運転の運転停止の指示を通信部３６３が受信した場合、記憶部３６５には、室内環境が快適ではないという環境情報が記憶される（ステップＳ５２）。また、制御部３６４は、通信部３６３を介して室内機制御部３６１ａ，３６１ｂ，３６１ｃおよび室外機制御部３６２に、空気調和運転の運転停止の制御指令を送信する（ステップＳ４７）。通信部３６３から運転停止の制御指令が送信されると、室内機制御部３６１ａ，３６１ｂ，３６１ｃは室内機３０２ａ，３０２ｂ，３０２ｃ内の各種機器を制御し、室外機制御部３６２は室外機３２０内の各種機器を制御することで、空気調和運転を停止させる。また、記憶部３６５には、第２制御実行時間が第１制御実行時間Ｔｗとして記憶される（ステップＳ４８）。
【０１１５】
なお、指示内容が空気調和機３０３の運転停止指示以外の指示であった場合において、空調対象者によって運転停止の指示が出されるまで行われるまでに現在時刻が停止予定時刻Ｔ２に到達した場合、判断部３６４ｃによって室内環境の快適性の判断が行われるが、制御部３６４は、判断部３６４ｃによる判断結果が記憶部３６５に記憶されないように記憶部３６５の記憶動作を制御する。このため、記憶部３６５には、判断部３６４ｃによる判断結果が記憶されず、空調対象者によって運転停止の指示が出された時に記憶される室内環境が快適ではないという環境情報と、第１制御実行時間Ｔｗとが記憶されることになる。
【０１１６】
また、現在時刻が運転停止予定時刻Ｔ２に到達した後に、コントローラ３５０を介して空調対象者から空気調和運転の運転開始指示があった場合、通信部３６３から室内機制御部３６１ａ，３６１ｂ，３６１ｃおよび室外機制御部３６２に運転開始の制御指令が送信される。そして、通信部３６３から運転開始の制御指令が送信されると、室内機制御部３６１ａ，３６１ｂ，３６１ｃは室内機３０２ａ，３０２ｂ，３０２ｃ内の各種機器を制御し、室外機制御部３６２は室外機３２０内の各種機器を制御することによって、空気調和機３０３の運転が開始される。この場合もまた、空調対象者によって、運転停止の指示が出されるまで、空気調和運転が行われる。
【０１１７】
＜特徴＞
上記実施形態では、算出部３６４ａによって、記憶部３６５に記憶されている第１制御実行時間Ｔｗと、判断部３６４ｃによる判断結果、または、所定の環境情報とに基づいて、第２制御実行時間が算出されている。このため、前回省エネルギー制御を実行していた空調対象空間において快適維持ができていたか否かに基づいて、第２制御実行時間を算出することができる。したがって、空調対象空間における快適度に基づいて、省エネルギー制御が実行される時間を調整することができている。
【０１１８】
また、決定部３６４ｂによって、空気調和運転の運転停止予定時刻Ｔ２から第２制御実行時間だけ遡った時刻が、制御開始時刻Ｔ１として決定されている。このため、空調対象空間における快適度に基づいて、制御開始時刻Ｔ１を調整することができる。
【０１１９】
これによって、空調対象者に不快感を与えるおそれを減らすことができている。
【０１２０】
＜変形例＞
上記実施形態では、主に判断部３６４ｃによる判断結果に基づいて、第２制御実行時間が算出されている。しかし、第２制御実行時間は、判断部による判断結果に加えて他の情報を利用して算出されてもよい。例えば、図１６に示すように、予測部４６６を含む判断部４６４ｃと、算出部４６４ａと、決定部４６４ｂとを有し、外気温度サーミスタ４６７と接続されている制御部４６４を備える空調制御装置４６０について説明する。
【０１２１】
制御部４６４は、通信部３６３から送信される空調対象者からの指示情報に基づいた空気調和機が行う運転内容についての制御指令を、通信部４６３に送信する。
【０１２２】
記憶部４６５には、後述する判断結果、環境情報、前回予測部４６６によって予測された空調負荷である第１空調負荷、および、前回実行された省エネルギー制御の実行時間である第１制御実行時間Ｔｗが記憶されている。
【０１２３】
また、制御部４６４は、上述のように、判断部４６４ｃと、算出部４６４ａと、決定部４６４ｂとを有している。
【０１２４】
判断部４６４ｃは、室温サーミスタによって検出される室内温度情報から得られる室内温度値と、外気温度サーミスタ４６７によって検出される外気温度情報から得られる外気温度値とに基づいて、室内環境が快適であるか否かを判断する。また、判断部４６４ｃによる前記判断は所定時間（例えば、３分）毎、および、空気調和運転の運転停止予定時刻Ｔ２に行われる。また、記憶部４６５には、判断部４６４ｃによって判断された停止予定時刻Ｔ２における室内環境が快適であるか否かの判断の結果（以下、判断結果という）が記憶される。
【０１２５】
予測部４６６は、空気調和運転の運転停止予定時刻Ｔ２の所定時間（例えば、３時間）前の時刻における外気温度値および室内温度値に基づいて、第２空調負荷を算出する。また、予測部４６６は、算出された第２空調負荷が、記憶部４６５に記憶されている第１空調負荷よりも大きいか否かを判定する。なお、予測部４６６によって予測された第２空調負荷は、予測部４６６による判定後、第１空調負荷として記憶部４６５に記憶される。
【０１２６】
算出部４６４ａは、記憶部４６５に記憶されている第１制御実行時間Ｔｗと、記憶部４６５に記憶されている判断結果および所定の環境情報に基づいて、制御実行予定時間を算出する。また、算出部４６４ａは、制御実行予定時間および予測部４６６の判定結果に基づいて、第２制御実行時間を算出する。具体的には、算出部４６４ａは、判断部４６４ｃが運手停止予定時刻Ｔ２における室内環境を快適であると判断した場合には、第１制御実行時間Ｔｗに所定時間（例えば、５分）だけ加えた時間を制御実行予定時間として算出する。また、算出部４６４ａは、判断部４６４ｃが運転停止時刻における室内環境を快適でないと判断した場合には、第１制御実行時間Ｔｗから所定時間（例えば、５分）を差し引いた時間を制御実行予定時間として算出する。また、記憶部４６５に、室内環境が快適ではないという環境情報が記憶されている場合には、算出部４６４ａは、第１制御実行時間Ｔｗから所定時間（例えば、５分）を差し引いた時間を制御実行予定時間として算出する。さらに、算出部４６４ａは、記憶部４６５に第１制御実行時間Ｔｗのみが記憶されている場合には、記憶されている第１制御実行時間Ｔｗを制御実行予定時間として算出する。
【０１２７】
次に、算出部４６４ａは、予測部４６６によって第２空調負荷が第１空調負荷よりも大きいと判定された場合には、制御実行予定時間から所定時間（例えば、１分）を差し引いた時間を第２制御実行時間として算出する。また、算出部４６４ａは、予測部４６６によって第２空調負荷が第１空調負荷よりも小さい判定された場合には、制御実行予定時間に所定時間（例えば、１分）だけ加えた時間を第２制御実行時間として算出する。なお、算出部４６４ａによる第２制御実行時間の算出は、現在時刻が運転停止予定時刻の所定時間（例えば、１時間）前の時刻に到達したときに行われる。なお、記憶部４６５には、決定部４６４ｂによって制御開始時刻Ｔ１が決定された後、算出部４６４ａによって算出された第２制御実行時間が、第１制御実行時間Ｔｗとして記憶される。
【０１２８】
決定部４６４ｂは、空調対象者によって予め設定されている空気調和運転の運転停止予定時刻Ｔ２から算出部４６４ａによって算出された第２制御実行時間だけ遡った時刻を、省エネルギー制御の開始時刻である制御開始時刻Ｔ１に決定する。このため、この空調制御システムでは、空調対象空間における過去の快適度と、空気調和運転が行われている現在の空調負荷とに基づいて、省エネルギー制御が実行される制御実行時間が算出されている。
【０１２９】
これによって、空調対象空間における快適性を更に向上させることができる。
【産業上の利用可能性】
【０１３０】
本発明は、空調対象者に対して不快感を与えるおそれを減らすことができるため、空気調和機の空調制御システムへの適用が有効である。
【図面の簡単な説明】
【０１３１】
【図１】本発明の実施形態に係る空調制御システムの概略冷媒回路図。
【図２】本発明の第１実施形態における空調制御装置の制御ブロック図。
【図３】室内環境の変化を示す図。
【図４】空調対象空間内の快適範囲およびその境界部と、制御実行時間との関係を示す図。
【図５】本発明の第１実施形態に係る空調制御システムの制御の流れを示すフローチャート。
【図６】本発明の第１実施形態における室内環境の変化を示す図。
【図７】第１実施形態の変形例における空調制御装置の制御ブロック図。
【図８Ａ】本発明の第２実施形態における空調制御装置の制御ブロック図。
【図８Ｂ】第２実施形態の変形例における空調制御装置の制御ブロック図。
【図９】第２実施形態の変形例における室内環境の変化を示す図。
【図１０】空調対象空間内における室内温度値の経時的変化の度合を示す図。
【図１１】本発明の第２実施形態に係る空調制御システムの制御の流れを示すフローチャート。
【図１２】本発明の第３実施形態における空調制御装置の制御ブロック図。
【図１３】室内環境の変化を示す図。
【図１４】室内環境の変化を示す図。
【図１５】本発明の第３実施形態に係る空調制御システムの制御の流れを示すフローチャート。
【図１６】第３実施形態の変形例における空調制御装置の制御ブロック図。
【符号の説明】
【０１３２】
９      圧縮機（機器）
５０      コントローラ（受付部）
６６      室温サーミスタ（情報取得部）
６７      外気温度サーミスタ（情報取得部）
２６４ａ    監視部
２６６      室温サーミスタ（取得部）
３６４ｃ    判断部
４６７      外気温度サーミスタ（取得部）
５６５ａ    設定記憶部（設定部）
１，２０１，３０１  空調制御システム
６４ａ，２６４ａ，３６４ａ  算出部
６４ｂ，２６４ｂ，３６４ｂ  決定部
Ｌ      境界部
Ｗ      快適範囲（所定範囲）
Ｔ１      制御開始時刻
Ｔ２      運転停止予定時刻
Ｔｅ      制御実行時間
Ｔｓ      最適制御実行時間
【図１】
0005109753.tif 000002
【図２】
0005109753.tif 000003
【図３】
0005109753.tif 000004
【図４】
0005109753.tif 000005
【図５】
0005109753.tif 000006
【図６】
0005109753.tif 000007
【図７】
0005109753.tif 000008
【図８Ａ】
0005109753.tif 000009
【図８Ｂ】
0005109753.tif 000010
【図９】
0005109753.tif 000011
【図１０】
0005109753.tif 000012
【図１１】
0005109753.tif 000013
【図１２】
0005109753.tif 000014
【図１３】
0005109753.tif 000015
【図１４】
0005109753.tif 000016
【図１５】
0005109753.tif 000017
【図１６】
0005109753.tif 000018